(57)【要約】  【課題】背もたれや肘当てや小テーブルとして機能し得る補助体を備えた椅子において、補助体を好適に取付けできる継手装置を構造を提供する。  【手段】継手装置２３は、第１軸受け２９、補助軸受け３０、第２軸受け３２、支軸３１、ロックピン３３、ばね３４を備えている。第１軸受け２９は支柱５に固定される。ロックピン３３は受け座３５を介して補助体４の裏面に固定される。補助体４は支軸３１を中心にして回動することによって倒れ姿勢と水平姿勢とを自在に選択できるが、倒れ姿勢のときに水平方向に長く延びる状態でないと水平姿勢に移行できない。このため椅子が不安定な状態になることを阻止できる。【選択図】        図４
2006014827.tif 000002
【特許請求の範囲】
【請求項１】
座の外側に配置した支柱に、着座者が背を当てることが可能な扁平状の補助体を取付けている椅子であって、
前記補助体は、当該補助体の略中央部において厚さ方向に延びる第１回転軸心回りに回転し得ると共に、平面視で座の接線方向に沿って水平状に延びる第２回転軸心回りに回動し得るように、複数の部材からなる継手装置を介して支柱に取付けられている、
椅子。
【請求項２】
前記補助体は、平坦面が長手方向と短手方向とを有する細長い形状に形成されており、この補助体が前記第２回転軸心回りに回動する範囲を、平坦面が水平でない倒れ姿勢から平坦面が上向きの水平姿勢まで回動する範囲に設定しており、更に、前記継手装置は、補助体を水平姿勢に保持するロック手段を備えている、
請求項１に記載した椅子。
【請求項３】
前記補助体は、倒れ姿勢でのみ第１回転軸心回りに回転すること許容する姿勢規制手段を備えており、補助体は水平姿勢のとき長手方向線が平面視で第２回転軸心と平行に延びるように設定されており、補助体を倒れ姿勢から水平姿勢に回動させることが横長の姿勢でのみ可能となるように設定されている、
請求項２に記載した椅子。
【請求項４】
前記補助体は、水平姿勢でのみ第１回転軸心の方向に若干の寸法だけ移動可能となるように支柱に取付けられていると共に、支柱に近づく方向にばねで付勢されており、水平姿勢の補助体を若干の寸法だけ持ち上げると前記ロック手段によるロックが解除されて倒れ姿勢に回動可能になっている、
請求項２又は３に記載した椅子。
【請求項５】
前記座は、脚柱の上端に水平旋回自在に取付けた座受け部のうち脚柱から水平方向に偏心した部位に水平回転自在に取付けられている一方、前記支柱は、脚柱の周囲をぐるぐる旋回し得るように座受け部に固定されている、
請求項１〜４のうちのいずれかに記載した椅子。
【請求項６】
前記継手装置は、支柱の上端部に固定された第１軸受けと、水平状の第２軸線回りに回動するように前記第１軸受けに回動自在に取付けられた第２軸受けと、補助体にその裏面から突出する姿勢で取付けられたロックピンとを備えており、前記ロックピンは、第２軸受けに、第１回転軸心回りに回動可能でかつ抜け不能に嵌め込まれており、第１軸受けとロックピンとに、前記ロック手段と姿勢規制手段とのうちの何れか一方又は両方を構成する係合手段がそれぞれ形成されている、
請求項２〜５のうちの何れかに記載した椅子。
【発明の詳細な説明】
【技術分野】
【０００１】
本願発明は、椅子に関するものである。
【背景技術】
【０００２】
椅子は人が腰掛けることを基本機能とするものであるが、他の機能を付加することが考えられている。その例として特許文献１には、背もたれを水平姿勢まで回動させ得るように構成して、水平姿勢で背もたれを肘当てとして機能せしめることが開示されている。
【０００３】
また、特許文献２には、背もたれを備えて椅子において、座の外側に支柱を水平旋回自在に配置し、この支柱に小テーブルを取付けることが記載されている。  
【特許文献１】特開２００２−１２５８０３号公報
【特許文献２】特開２００３−３８２９５号公報
【発明の開示】
【発明が解決しようとする課題】
【０００４】
ところで、近年、人のワーキングスタイルに大きな変貌が見られる。例えば、個人がオフィスに専用の机や椅子とを持たないフリーアドレス方式（ノンテリトリアル方式）の広がりや、グループがミーティングを通じて企画を推進するプロジェクト方式の拡大、ＳＯＨＯ（スモールオフィス・ホームオフィス）に見られる個人化・小規模化の広がりなどがそうである。
【０００５】
このようなワーキングスタイルの変貌に伴い、椅子にも従来にない役割が求められている。例えば、リラックスした雰囲気作りに貢献できる役割、ミーティングや打ち合わせを簡便に行える役割などである。
【０００６】
しかして、前記特許文献１の場合は、背もたれを肘当てに兼用してくつろぐことはできるが、背もたれは単に回動して側面視姿勢が変化するに過ぎないため変化に乏しく、また、打ち合わせやミーティングの資料を載せたりノート型パソコンを使用したりすることはできない。他方、特許文献２の場合、背もたれとは別に小テーブルを設けるため椅子全体の構造が複雑化する問題がある。
【０００７】
本願発明は、このような現状を改善すべくなされたものである。
【課題を解決するための手段】
【０００８】
本願発明の椅子は、座の外側に配置した支柱に、着座者が背を当てることが可能な扁平状の補助体を取付けている。そして、前記補助体は、当該補助体の略中央部において厚さ方向に延びる第１回転軸心回りに回転し得ると共に、平面視で座の接線方向に沿って水平状に延びる第２回転軸心回りに回動し得るように、複数の部材からなる継手装置を介して支柱に取付けられている。
【０００９】
請求項２の発明は、請求項１において、前記補助体は、平坦面が長手方向と短手方向とを有する細長い形状に形成されており、この補助体が前記第２回転軸心回りに回動する範囲を、平坦面が水平でない倒れ姿勢から平坦面が上向きの水平姿勢まで回動する範囲に設定しており、更に、前記継手装置は、補助体を水平姿勢に保持するロック手段を備えている。
【００１０】
請求項３の発明は、請求項２において、前記補助体は、倒れ姿勢でのみ第１回転軸心回りに回転すること許容する姿勢規制手段を備えており、補助体は水平姿勢のとき長手方向線が平面視で第２回転軸心と平行に延びるように設定されており、補助体を倒れ姿勢から水平姿勢に回動させることが横長の姿勢でのみ可能となるように設定されている。
【００１１】
請求項４の発明は、請求項２又は３において、前記補助体は、水平姿勢でのみ第１回転軸心の方向に若干の寸法だけ移動可能となるように支柱に取付けられていると共に、支柱に近づく方向にばねで付勢されており、水平姿勢の補助体を若干の寸法だけ持ち上げると前記ロック手段によるロックが解除されて倒れ姿勢に回動可能になっている。
【００１２】
請求項５の発明は、請求項１〜４のうちのいずれかにおいて、前記座は、脚柱の上端に水平旋回自在に取付けた座受け部のうち脚柱から水平方向に偏心した部位に水平回転自在に取付けられている一方、前記支柱は、脚柱の周囲をぐるぐる旋回し得るように座受け部に固定されている。
【００１３】
請求項６の発明は、請求項２〜５のうちの何れかにおいて、前記継手装置は、支柱の上端部に固定された第１軸受けと、水平状の第２軸線回りに回動するように前記第１軸受けに回動自在に取付けられた第２軸受けと、補助体にその裏面から突出する姿勢で取付けられたロックピンとを備えており、前記ロックピンは、第２軸受けに、第１回転軸心回りに回動可能でかつ抜け不能に嵌め込まれており、第１軸受けとロックピンとに、前記ロック手段と姿勢規制手段とのうちの何れか一方又は両方を構成する係合手段がそれぞれ形成されている。
【発明の効果】
【００１４】
本願発明では、補助体は少なくとも背もたれの機能を備えているが、この補助体は水平状に延びる第２回転軸心回りに回動して姿勢が変わるのみでなく、第１回転軸心回りにも回動して姿勢が変わる。すなわち、補助体は椅子の側面視において姿勢が変わるのみでなく、椅子の正面視においても姿勢が変わる。
【００１５】
このように側面視と正面視との両方において姿勢が変わるため、補助体を細長い形状とすることにより、例えば背もたれとして機能させるにおいて縦長の姿勢にしたり横長の姿勢としたりすることができ、好みに応じて補助体の姿勢を変えることができる。このため、椅子に一種の面白みを付与してリラックスした雰囲気作りに貢献できる。なお、人が補助体を胸に当てた状態で着座することも可能であり、また、補助体を倒れ姿勢にしてその平坦面に肘を当てるような使用方法も採用できる。
【００１６】
請求項２のように構成すると、補助体を水平姿勢まで回動させる構成とすることにより、補助体を肘当てや小テーブルとして使用することもでき、椅子の使い勝手を向上させることができる。この場合、ロック手段で補助体を水平姿勢に保持できるため、肘を当てた状態や物を載せた状態で補助体が不測に傾くことはなく、肘当て機能やテーブル機能を確実に保持できる。
【００１７】
ところで、補助体を細長い形状に形成すると、背もたれとして使用するにおいて人の背の支持面積を大きくできる利点や、肘当てや小テーブルとして使用するおいて人の邪魔にならない状態で面積を大きくできるなどの利点がある。しかし、水平姿勢にした状態で補助体が平面視で座の放射方向に延びていると、補助体の一端部が座から遠のくため安定性が悪くなる虞がある。
【００１８】
これに対して請求項３のように構成すると、補助体は平面視で座の接線方向の延びる姿勢でしか水平姿勢にできないため、補助体が座の外側方向に大きくはみ出ることはなく、安定性を確保できる利点がある。
【００１９】
請求項４のように構成すると、補助体のロックの解除をワンタッチ的に行える。また、水平姿勢の補助体には、人が肘を当てたり物を載せたりすることによって一般に下向きの荷重が作用しているため、ロック状態は確実に保持される。従って、ロック状態を確実に保持しつつ、ロックの解除をワンタッチ的に行えるのである。
【００２０】
ところで、座を脚柱の真上に配置することも可能であるが、補助体は平面視で座の外側に位置しているため、座を脚柱の真上に配置していると、補助体による荷重の支持安定性を高めるには脚による支持スパンを大きくせざるをえず、すると脚が大型化することになる。これに対して請求項５のように構成すると、脚柱を挟んだ両側に座と補助体とが振り分けた状態で配置されるため、脚の支持スパンを過度に大きくすることなく補助体による荷重の支持安定性を向上できる利点がある。
【００２１】
補助体の回動及び回転は、請求項６で具体化した継手装置によって実現することができる。
【発明を実施するための最良の形態】
【００２２】
次に、本願発明の実施形態を図面に基づいて説明する。
【００２３】
(1).第１実施形態（図１〜図９）
図１〜図９では第１実施形態を示している。まず、図１〜図３に基づいて椅子の概要を説明する。図１のうち（Ａ）は正面図、（Ｂ）は側面図、図２は平面図、図３は図２の III-III視断面図である。
【００２４】
(a).概要
椅子は、脚柱の一例としてのガスシリンダ１を備えた脚２と、ガスシリンダ１で支持される座３と、肘当て（或いは脇息）及び小テーブル並びに背もたれとして機能する略板状の補助体４と、補助体４が取り付く支柱５（フレームと言っても良い）とを備えている。脚２は放射状に延びる複数本の枝足６を備えており、各枝足６の先端にはキャスター７を設けている。
【００２５】
ガスシリンダ１は昇降体１ａと固定筒１ｂとを備えており、昇降体１ａの上端には座受けベース８が固定されている。座受けベース８は上向きに開口した本体９を備えており、本体９はガスシリンダ１から遠ざかるに従って間隔が広がるように平面視涙滴形に形成されている。また、全体として湾曲した正断面形状で舟形をなしている。
【００２６】
図３に示すように、ガスシリンダ１の昇降１ａは座受けベース８に固着されたテーパ状の受け筒１０に下方から嵌着している。座受けベース８の本体９にはこれを塞ぐように配置されたブラケット板１１が溶接によって固着されており、ブラケット板１１の後部には、ガスシリンダ１の軸心を通って座受けベース８を横切るように延びる樹脂製のレバー受け１１がビス１２で固定されている。
【００２７】
詳細は省くが、レバー受け１１には昇降用レバー１３がシーソー状に回動するように取付けられており、昇降用レバー１４に手を当てて上方又は下方に押し引きすると、ガスシリンダ１のプッシュバルブ１５が押されてロックが解除される。ガスシリンダ１の昇降体１ａは固定筒１ｂに回転自在で昇降自在に嵌まっており、従って、座受けベース８はガスシリンダ１の軸心回りに自在に旋回する。
【００２８】
座受けベース８を構成するブラケット板１１のうちガスシリンダ１から遠ざかった部位には、筒体１６を介して座３が水平旋回自在に取付けられている。すなわち、座３はガスシリンダ１からある程度の寸法だけ偏心した状態で座受けベース８に取付けられている。
【００２９】
座３は、くびれ部３ａを挟んだ両側に半円状部３ａが連続して細長い瓢箪形の平面形状に形成されている。また、座３は硬質材よりなる基板１７にクッション１８を張った構造であり、基板１７の中央部の下面にビスで固定した金属製（又は樹脂製）のボス体１９を筒体１６に嵌め込んでいる。ボス体１９はブラケット板１１に重なる大径部１９ａを備えており、フランジ２０ａを有する樹脂製のブッシュ２０を介して筒体１６及びブラケット板１１で水平旋回（回転）自在に支持されている。
【００３０】
また、ボス体１９はその底板１９ｂにねじ込まれたビス２１によって本体９に抜け不能に保持されている。また、座受けベース８の上面は樹脂製のカバー２２で覆われている。
【００３１】
支柱５は水平部５ａを備えており、支柱５の水平部５ａが座受けベース８の本体の後部に溶接によって固着されている。従って、支柱５及び補助体４はガスシリンダ１の軸心を中心にしてぐるぐると自在に水平旋回し得る。本実施形態では支柱５は中空円筒状に形成しているが、中空角形や小判形等の他の断面形状でも良い。
【００３２】
補助体４は座受けベース８と同様にくびれ部４ａを有する瓢箪形を成しており、全体として平坦状に形成されている。そして、補助体４の中央部が支柱５の上端に継手装置２３を介して取付けられており、この継手装置２３の働きにより、補助体４は図１の実線のように水平でない倒れ姿勢と図１，２の一点鎖線のように水平姿勢とに姿勢を自在に変えることができ、かつ、倒れ姿勢では、中央部を肉厚方向に通る第１回転軸心２４の回りに回動自在であると共に、水平状に延びる第２回転軸心２５の回りに回動して倒れ姿勢を大きく変えることができる。
【００３３】
補助体４は、倒れ切った状態で平坦面が鉛直線に対して若干後傾するように設定している。
【００３４】
(b).継手装置の構造
以下、図４以下の図面も参照して補助体４の取付け構造を詳述する。図４は継手装置２３の分解斜視図、図５は継手装置２３の分解平面図、図６のうち（Ａ）は継手装置２３の平面図、（Ｂ）は継手装置２３の側面図、（Ｃ）は継手装置２３の一部破断平面図、図７のうち（Ａ）は倒れ姿勢での側断面図、（Ｂ）は（Ａ）のＢ−Ｂ視断面図、（Ｃ）は（Ａ）のＣ−Ｃ視断面図、図８のうち（Ａ）は姿勢規制手段で水平姿勢への回動が阻止されている状態での側断面図、（Ｂ）は（Ａ）の平面図、図９のうち（Ａ）は水平姿勢での側断面図、（Ｂ）は（Ａ）の平面図、（Ｃ）は（Ａ）のＣ−Ｃ視断面図である。
【００３５】
例えば図７に示すように、補助体４は硬質材製の基板２７にクッション２８を張った構造になっているが、基板２７にクロス類を張っただけの構造、又は基板２７だけの構造でもよい。
【００３６】
例えば図４から理解できるように、継手装置２３は、支柱５の上端に固定された第１軸受け２９と、第１軸受け２９に嵌まった補助軸受け３０と、第１軸受け２９及び補助軸受け３０に水平状の支軸３１で回動自在に取付けられた第２軸受け（回動体）３２と、第２軸受け３２に内蔵されたロックピン３３と、ロックピン３３を付勢するばね（圧縮コイルばね）３４と、補助体４に固定された受け座３５とを備えている。
【００３７】
本実施形態では、支軸３１の軸心が請求項に記載した第２回転軸心になり、ロックピン３３の軸心が第１回転軸心になる。支軸３１で具体化される第２回転軸心２５は、補助体４の中央部の裏面の近傍で水平状に延びており、かつ、その延び方向は平面視で座３の接線方向と略平行になっている。
【００３８】
第１軸受け２９は下向きのボス部２９ａを備えており、ボス部を２９ａをビス３６で支柱５に固定している。また、第１軸受け２９の上部は円板状の仮想外形を有する板状部２９ｂに形成されており、板状部２９ｂには、座３と反対側に向けて開口した切り開き部３７を形成している。切り開き部３７は略９０度程度の範囲に広がってい。
【００３９】
補助軸受け３０は、第１軸受け２９の板状部２９ｂに重なる２枚の円板部３０ａを備えており、２枚の円板部３０ａは第１軸受け２９の切り開き部３７に嵌まる繋ぎ３０ｂを介して一体に連続している。
【００４０】
そして、例えば図７から容易に理解できるように、補助軸受け３０における繋ぎ部３０ｂの外径は第１軸受け２９における板状部２９ｂの仮想外周面よりも小径に設定されており、また、補助軸受け３０における繋ぎ部３０ｂの上端に上向き開口の段部３０ｃを形成している。
【００４１】
このため、第１軸受け２９の切り開き部３７と補助軸受け３０の繋ぎ部３０ｂとの共同した働きにより、係合部の一例として上向きに開口した係合穴３８が形成されている。例えば図５に示すように、係合穴３８は前後方向（座３から見て放射方向）の溝幅Ｗ２よりも左右方向（支軸３１の軸方向）の溝幅Ｗ１が大きくなるように平面視長方形に形成されている。なお、第１軸受け２９に係合穴３８を直接に形成して補助軸受け３０を無くすことも可能である。
【００４２】
第２軸受け３２は全体として円形に形成されており、前端部は、第１軸受け２９の板状部２９ｂ及び補助軸受け３０に嵌まるように抉られた二股状部３２ａになっており、二股状部３２ａが支軸３１で第１軸受け２９及び補助軸受け３０に取付けられている。本実施形態では支軸３１としてボルトを使用しており、ナット３９によって抜け不能に保持されている。ナット３９は第２軸受け３２に回転不能に保持されている。
【００４３】
ロックピン３３は手前側が大径となるように異径に形成されており、かつ、前端部には、係合部の一例として断面略長方形の係合突起４０を形成している。ロックピン３３は第２軸受け３２に対して回転自在でかつ後向き抜け不能に嵌まっており、このため、第２軸受け３２の内部の穴も段違い状の異径に形成されている。
【００４４】
また、ロックピン３３の係合突起４０は断面長方形になっているが、長手方向の寸法は係合穴３８の長手幅寸法よりもやや小さくて短手幅寸法よりも長い寸法に設定されている。従って、ロックピン３３はその軸心回りに回転することにより、係合穴３８に嵌まる姿勢となったり嵌まらない姿勢となったりする。ロックピン３３はその小径部に嵌まったばね３４により、第１軸受け２９の方向に付勢されている。
【００４５】
ロックピン３３の後端部３３ａは非円形に切欠き形成されており、この後端部３３ａを受け座３５に対して回転不能に嵌め込み、その状態で補助体４の基板２７と受け座３５とロックピン３３とをビス４１で共締めしている。受け座３５はビス４０で基板２７に固定されている。なお、ロックピン３３は受け座３５に固定しても良い。受け座３５は第２軸受け３２を外側から被う筒部３５ａを備えている。
【００４６】
(c).動きの説明
図７〜９から理解できるようち、補助体４が支軸３１の回りに回動する角度は、ロックピン３３の係合突起４０の移動ストローク（支軸３１の軸心回りの移動ストローク）によって規制されている。また、補助体４が倒れた姿勢では、ロックピン３３は第２軸受け３２の内部で回転自在であるため補助体４もロックピン３３の軸心回りに自在に回転させることができる。
【００４７】
補助体４の倒れ姿勢では、ロックピン３３における係合突起４０の先端は補助軸受け３０における繋ぎ部３０ｂの外周面に当接または近接している。換言すると、補助体４が倒れ姿勢のときにロックピン３３はばね３４に抗して第２軸受け３２から抜け出る方向に後退しており、このため補助体４をロックピン３３の軸方向に移動させることは基本的にできない。
【００４８】
ロックピン３３の係合突起４０は支軸３１と同じ方向に長手の姿勢となったときのみ係合穴３８に嵌まることができ、図８に示すように、係合突起４０の支軸３１と平行に長く延びる姿勢でない状態では、補助体４を起こしてもロックピン３３の係合突起４０は係合穴３８を跨いだ状態になり、補助体４を水平姿勢まで移行させることはできない。
【００４９】
他方、図９に示すように、ロックピン３３の係合突起４０は平面視で座の接線方向と平行の姿勢になったときのみ係合穴３８に嵌まり込んで、補助体４を水平姿勢にすることができる。
【００５０】
そして、ロックピン３３の係合突起４０は補助体４の長手方向に長く延びる長方形の断面形状であるため、補助体４は、図９に示すように平面視で座３の接線方向に長く延びる姿勢でないと水平姿勢に移行させることはできない。
【００５１】
補助体４が平面視で座３の接線方向に長く延びる姿勢にあるときには、補助体４は脚２で安定的に支持できるエリア（すなわち、各キャスター７を繋いだエリア）の範囲内にあり、このため補助体４に大きな荷重がかかっても椅子がひっくり返るようなことはない。
【００５２】
他方、図８（Ｂ）に示すように補助体４が平面視で座３の放射方向に長く延びる姿勢で水平になると、補助体４の端部はうな脚２による支持領域からはみ出るため、補助体４に大きな荷重がかかると椅子がひっくり返る虞があるが、本実施形態ではこのような事態を回避できるのである。
【００５３】
水平姿勢では、ロックピン３３がばね３４によって係合穴３８に嵌合し勝手となるように付勢されているため、補助体４は水平回転不能に保持されている。そして、ばね３４に抗して補助体４を持ち上げるとロックピン３３と係合穴３８との嵌まり合いが解除され、補助体４は倒れ姿勢に回動させるとができる。
【００５４】
本実施形態では、第１軸受け２９及び補助軸受け３０で構成された係合穴３８とロックピン３３とは、請求項に記載したロック手段と姿勢規制手段との両方を兼用している。図７〜９から把握できるように、補助体４がどのような姿勢であっても第２軸受け３２の二股状部３２ａで第１軸受け２９の切り開き部３７が隠れるように設定している。このため人が指を挟むようなことはない。
【００５５】
なお、軸受け２９，３０，３２の素材には特に限定はなく、樹脂製としたり金属ダイカスト製としたりすることができる。支軸３１はピン方式としてスナップリング等にて抜け防止しても良い。また、補助体４はその平坦面が鉛直になる姿勢まで倒すことも可能であるが、背もたれとして機能させる場合は、本実施形態のように倒しきった状態で鉛直に対して若干の角度を持たせているのが好ましいと言える。
【００５６】
(2).第２実施形態（図10）
図１０では第２実施形態を示している。この実施形態は第１実施形態の変形例であり、第２軸受け３２の先端面に補強体３５′をねじ３５″で固定し、補強体３５′を基板２８に形成した穴２８ａに摺動可能に嵌め入れている。また、補強体３５′は受け座３５で抜け不能に保持されている。更に、ロックピン３３は基板２８に回転不能に固定されている。
【００５７】
この実施形態では、補強体３５′が基板２８の穴２８ａに嵌まっていることにより、補助体４の取付け構造を堅牢化できる利点がある。受け座３５の筒部３５ａの長さと厚さとを大きくすると、強度保持の点でより好適である。
【００５８】
(3).第３実施形態（図11）
図１１に示すのは第１実施形態の変形例である第３実施形態であり、（Ａ）は要部の断面図，（Ｂ）は（Ａ）のＢ−Ｂ視断面図である。
【００５９】
この実施形態と第１実施形態との相違点はロックピン３３の係合突起４０を断面円形に形成している点である。この実施形態では、補助体４はどのような倒れ姿勢からでも水平姿勢に移行させることかでき、また、補助体４は水平姿勢で水平旋回自在となる。ユーザーの希望により、このような構成とすることも可能である。
【００６０】
(4).第４実施形態（図12）
図１２では第４実施形態を示している。この実施形態は基本的な構造は第１実施形態と共通しているが、第１実施形態とは、ロックピン３３が第２軸受け３２に回転不能に嵌まっている点と、補助体４がロックピン３３に回転可能に取付けられている点とで相違している。この実施形態でも、補助体４が倒れ姿勢と水平姿勢とに移行するにおいて制約はない。
【００６１】
(5).第５実施形態（図13〜図14）
図１３〜図１４では第５実施形態を示している。図１３は分解斜視図、図１４は縦断側面図である。この実施形態でも、第１軸受け２９と第２軸受け３２と支軸３１とロックピン３３とばね３４と受け座３５とを備えている。但し、第１実施形態の補助軸受け３０は備えておらず、第１軸受け２９に係合穴３８を直接に形成している。ロックピン３３に断面長方形の係合突起４０を設けている点は第１実施形態と同じである。
【００６２】
また、ロックピン３３は補助体４の基板２７に対して、抜け不能及び相対回転不能に保持され、かつ、若干の寸法だけ軸方向にスライドする状態にビス４１で取付けられている。第１軸受け２９には、鞄等の物を引っ掛けることのできるフック４１を取付けている。この例でも、第１軸受け２９と第２軸受け３２との間に人が指を挟まないようにカバー手段を設けるのが好ましく、カバー手段は第２軸受け３２に一体に形成しても良いし、別の部材として配置しても良い。
【００６３】
(6).第６実施形態（図15〜図16）
図１５〜図１６では第６実施形態を示している。図１５は縦断側面図、図１６は図１５の XVI-XVI視断面図である。
【００６４】
この実施形態では、第１軸受け２９と第２軸受け３２とを備えており、第２軸受け３２は支軸３１で第１軸受け２９に回動可能に取付けられており、第２軸受け３２には補助体４がボス体４２を介して回転自在に取付けられている。ボス体４２は、その外周に形成した環状溝４２にビス４１の先端を嵌め込むことによって第２軸受け３２からの抜け止めが図られている。この実施形態ではボス体４２の軸心が請求項に記載した第１回転軸心になる。
【００６５】
この実施形態では、ロックピン３３は支軸３１と平行に配置されて第２軸受け３２に取付けられている。また、第２軸受け３２においてロックピン３３が嵌まっている穴４４は支軸３１の半径外側に延びる長穴に形成されており、引張ばね４５で支軸３１の側に付勢されている。
【００６６】
そして、第１軸受け２９には、ロックピン３３の外周面が当接するガイド部４６が支軸３１の軸心回りに延びるように形成されており、ガイド部４６の上端に、ロックピン３３が嵌まり込む係合穴３８を形成している。従って、補助体４が倒れ姿勢から起きて水平姿勢になると、ロックピン３３が係合穴３８に嵌合して水平状態が保持される。
【００６７】
この実施形態では補助体４はある程度の力を掛けていると水平状態から倒すことができるが、ロック手段は他の実施形態と同様に補助体４を持ち上げないとロックが解除されない構造にするのが好ましいと言える。
【００６８】
なお、ガイド部４６の外面は上部に行くほど支軸３１からの距離が遠くなるように設定している。このため、補助体４は倒れ角度が大きくなるほど引張ばね３４のばね力は小さくなり、その結果、補助体４を自重によって最大倒れ状態に自動的に移行させることができる。また、ロックピン３３が係合穴３８に嵌まった状態てばね４５のばね力は最も強くなるため、水平状態での姿勢保持機能も高くなる。
【００６９】
(7).その他
本願発明は上記の実施形態の他にも様々に具体化できる。例えば座及び本願発明の形状は図示したような瓢箪形には限らず、楕円形や小判形、円形、多角形など様々の形状に設定できる。また、継手装置の具体的な構造も必要に応じて様々に具体化できる。
【図面の簡単な説明】
【００７０】
【図１】第１実施形態の外観を示す図で、（Ａ）は正面図、（Ｂ）は側面図である。
【図２】平面図である。
【図３】図２の III-III視断面図である。
【図４】継手装置の分解斜視図である。
【図５】継手装置の分解平面図である。
【図６】継手装置の平面図、側面図、一部破断平面図である。
【図７】（Ａ）は倒れ切った状態での側断面図、（Ｂ）は（Ａ）のＢ−Ｂ視断面図、（Ｃ）は（Ａ）のＣ−Ｃ視断面図である。
【図８】（Ａ）は水平移行不能状態での側断面図、（Ｂ）は（Ａ）の平面図である。
【図９】（Ａ）は水平姿勢での側断面図、（Ｂ）は（Ａ）の平面図、（Ｃ）は（Ａ）のＣ−Ｃ視断面図である。
【図１０】第２実施形態を示す図である。
【図１１】第３実施形態を示す図である。
【図１２】第４実施形態を示す図である。
【図１３】第５実施形態の分解斜視図である。
【図１４】第５実施形態の縦断側面図である。
【図１５】第６実施形態の縦断側面図である。
【図１６】図１５の XVI-XVI視断面図である。
【符号の説明】
【００７１】
２  脚
３  座
４  補助体
５  支柱
２３  継手装置
２４  第１回転軸心
２５  第２回転軸心
２９  第１軸受け
３０  補助軸受け
３１  支軸（第２回転軸）
３２  第２軸受け
３３  ロックピン（第１回転軸）
３４  ばね
３８  係合手段の一例としての係合穴
４０  係合手段の一例としての係合突起
【図１】
2006014827.tif 000003
【図２】
2006014827.tif 000004
【図３】
2006014827.tif 000005
【図４】
2006014827.tif 000006
【図５】
2006014827.tif 000007
【図６】
2006014827.tif 000008
【図７】
2006014827.tif 000009
【図８】
2006014827.tif 000010
【図９】
2006014827.tif 000011
【図１０】
2006014827.tif 000012
【図１１】
2006014827.tif 000013
【図１２】
2006014827.tif 000014
【図１３】
2006014827.tif 000015
【図１４】
2006014827.tif 000016
【図１５】
2006014827.tif 000017
【図１６】
2006014827.tif 000018